(57)【要約】【課題】反射型液晶素子を利用した投射型表示装置の内部にゴミが入り込むのを防止し、ゴミによって引き起こされる輝度低下等の問題を回避する。【解決手段】画像をスクリーンに投射する光学エンジン１０は筐体２５を有し、該筐体内には、クロスダイクロイックミラー１３、複数の反射偏光板１６Ｒ、１６Ｇ、１６Ｂ、偏光板１８Ｒ、１８Ｇ、１８Ｂ、複数の反射型液晶素子７Ｒ、７Ｇ、７Ｂ、合成プリズム２０等多くの光学素子が設けられる。筐体２５内に設けられるこれら光学素子の殆どは無機材料からなる。反射型液晶素子７Ｒ、７Ｇ、７Ｂのみが有機物であるため冷却が必要となるので、反射型液晶素子７Ｒ、７Ｇ、７Ｂには放熱器２２Ｒ、２２Ｇ、２２Ｂがそれぞれ設けられ、これら放熱器は筐体２５に一体に配置される。【選択図】　　図３
2004145126.tif 000002
【特許請求の範囲】
【請求項１】
光源からの光を画像信号によって変調しスクリーンに投射するための光学エンジンであって、該光学エンジンは密閉空間を形成する筐体を備え、該筐体内には
前記光源からの入射光を三原色光に分離する分光素子と、
前記分光素子からの各原色光がそれぞれ入射されるように配置され、かつ画像信号によって変調した反射光を出射する複数の反射型液晶素子と、
前記分光素子により分離された光がそれぞれ入射され、該入射光を反射して前記各液晶素子に入射し、該液晶素子からの反射光を透過する複数の反射偏光板と、
前記複数の反射偏光板を透過した光を合成して出射する合成プリズムと、が設けられていることを特徴とする光学エンジン。
【請求項２】
光源からの光を画像信号によって変調しスクリーンに投射する光学エンジンであって、該光学エンジンは密閉空間を形成する筐体を備え、該筐体内には、
ダイクロイックミラー及び反射ミラーを含み、前記光源からの入射光をＲ、Ｇ、Ｂ光に分離するための分光素子と、
前記分光素子によって分離されたＲ，Ｇ，Ｂ光がそれぞれ入射されるように配置され、かつ画像信号によって変調した反射光を出射する複数の反射型液晶素子と、
前記分光素子と前記各液晶素子間の光路上にそれぞれ配置され、前記分光素子により分離されたＲ，Ｇ，Ｂ光がそれぞれ入射され、該入射光を反射して前記各液晶素子に入射し、該液晶素子からの反射光を透過する複数の反射偏光板と、
前記複数の反射偏光板を透過した光を合成して出射する合成プリズムと、が設けられていることを特徴とする光学エンジン。
【請求項３】
前記分光素子から前記各液晶素子に至る光路上にそれぞれ配置され、前記各液晶素子の偏光特性を制御するための位相差板及び偏光板を設けたことを特徴とする請求項１又は２記載の光学エンジン。
【請求項４】
前記筐体は前記光源からの光が入射する入射口と前記合成プリズムからの光を出射する出射口とを含み、前記入射口及び出射口をレンズ部材で塞ぐことにより密閉空間を形成し、この密閉空間内に設けられる光学素子は、前記反射型液晶素子以外を無機材料で構成したことを特徴とする請求項１又は２記載の光学エンジン。
【請求項５】
前記反射型液晶素子は、前記筐体に一体的に取付けられた放熱器に固定され、該放熱器からの熱を前記筐体の外側に放熱することを特徴とする請求項１又は２記載の光学エンジン。
【請求項６】
前記筐体には、中間部に通風路が設けられ、該通風路内には前記複数の放熱器のうちの１つが設けられていることを特徴とする請求項１又は２記載の光学エンジン。
【請求項７】
光源からの光を画像信号によって変調しスクリーンに投射する光学エンジンであって、該光学エンジンは密閉空間を形成する筐体を備え、該筐体内には、
ダイクロイックミラー及び反射ミラーを含み、前記前記入射口を介して入射した光をＲ、Ｇ、Ｂ光に分離するための分光素子と、
前記分光素子によって分離されたＲ，Ｇ，Ｂ光がそれぞれ入射されるように配置され、かつ画像信号によって変調した反射光を出射する複数の反射型液晶素子と、
前記分光素子と前記各液晶素子間の光路上にそれぞれ配置され、前記分光素子により分離されたＲ，Ｇ，Ｂ光がそれぞれ入射され、該入射光を反射して前記各液晶素子に入射し、該液晶素子からの反射光を透過する複数の反射偏光板と、
前記分光素子から前記各液晶素子に至る光路上にそれぞれ配置され、前記各液晶素子の偏光特性を制御するための位相差板及び偏光板と、
前記複数の反射偏光板を透過した光を合成して出射する合成プリズムと、が設けられ、
前記筐体内に配置される光学素子は、前記反射型液晶素子以外を無機材料で構成したことを特徴とする光学エンジン。
【請求項８】
光源と、
前記光源からの光が入射する入射口及び光の出射口を有する筐体と、
前記入射口を塞ぐように前記筐体に取付けられ、前記光源からの光を前記筐体内に導くレンズと、
ダイクロイックミラー及び反射ミラーを含み、前記入射口を介して入射した光をＲ、Ｇ、Ｂ光に分離するための分光素子と、
前記分光素子によって分離されたＲ，Ｇ，Ｂ光がそれぞれ入射されるように配置され、かつ画像信号によって変調した反射光を出射する複数の反射型液晶素子と、
前記分光素子と前記各液晶素子間の光路上にそれぞれ配置され、前記分光素子により分離されたＲ，Ｇ，Ｂ光がそれぞれ入射され、該入射光を反射して前記各液晶素子に入射し、該液晶素子からの反射光を透過する複数の反射偏光板と、
前記複数の反射偏光板を透過した光を合成して出射する合成プリズムと、
前記筐体の前記出射口に取付けられ、前記合成プリズムからの光を投射するための投射レンズとを具備し、
前記分光素子、前記反射型液晶素子、前記反射偏光板、及び前記合成プリズムを含む光学素子を前記筐体内に配置したことを特徴とする投射型表示装置。
【請求項９】
前記筐体内に配置される光学素子は、前記反射型液晶素子以外を無機材料で構成したことを特徴とする請求項８記載の投射型表示装置。
【請求項１０】
前記反射型液晶素子は、前記筐体に一体的に取付けられた放熱器に固定され、該放熱器からの熱を前記筐体の外側に放熱することを特徴とする請求項８記載の投射型表示装置。
【発明の詳細な説明】
【０００１】
【発明の属する技術分野】
本発明は、反射型液晶素子を採用した投射型表示装置の光学エンジンへのゴミ侵入防止構造に関する。
【０００２】
【従来の技術】
近年、パーソナルコンピューター等の普及によりデータ等の表示をより明るく繊細に大画面に写したいというニーズが高まり、データプロジェクターや民生用液晶テレビ等の需要が急速に高まってきた。また、ハイビジョン放送等の放送も普及し始め、高画質化へのニーズも年々高まっている。
【０００３】
このように高画質化・大型化のニーズが高まり、大型でより明るい画面を目指して業務用から民生用まで種々の画像表示デバイスを使用した投射型表示装置の開発競争が展開されている。
【０００４】
液晶表示パネルを利用した投射型表示装置も、このような背景から近年盛んに開発されるようになった。液晶表示パネルは、大別して入射した光を透過する「透過型」と、入射した光を反射する「反射型」に分かれる。従来、透過型液晶パネルを使用した投射型表示装置が主流であったが、最近では微細加工を施した高精細の反射型液晶パネル（以下反射型液晶素子という）も開発され使用されるようになった。
【０００５】
ところで、液晶パネルを使用した投射型表示装置では、液晶素子へ入射する光の位相を制御したり、所定の振動方向の光を透過させるため、液晶パネルに対して位相差板や偏光板を配置し、偏光特性を制御するようにしている。これら液晶パネルや位相差板、偏光板等の光学素子は投射型表示装置の画像投射部内で使用され、この画像投射部は一般に光学エンジンと呼ばれている。
【０００６】
上記位相差板や偏光板は有機プラスチックのシートから作られ、透過率が１００％ではないため、光が本体を通過する際に光損失が発生する。この光損失は熱となって自身が発熱する為、通常は強制空冷等の冷却装置が必要であった。特に民生テレビ等の場合、日本での例を取れば製品寿命が１０年という長期であり、長時間安定的な性能を発揮する必要があるため、冷却は必須となる。
【０００７】
冷却の目的は、液晶自身が高分子化合物である為、高温になると動作不能になったり材料が分解したりするのを防止することにある。同様に高分子化合物を利用する偏光板、ＰＢＳ（両偏光素子）、位相差板といった部品も強い光が当たり、自己発熱によって加熱するため冷却の対象となる。
【０００８】
冷却の手法としては現在ファンを使用した強制空冷が主流である。風による冷却では効率を高めるため、発熱光学素子に直接風を当てる方法が良い。しかし風を直接発熱光学部品に当てると、空気中に浮遊するゴミ・埃等も投射装置内に入り、光学素子の透過率を悪化させ、長期的には輝度の劣化として性能悪化を招く。
【０００９】
また、投射型表示装置の光学エンジンに使用される光学素子としては、一般に、ランプ、ＰＣＳ（両偏光素子）、ダイクロイックミラー、ＰＢＳ（偏光反射素子）、位相差板、液晶素子、合成プリズム等が用いられる。これら光学素子の中で冷却が必要となるのは、高発熱体であるランプ、有機物あるいは有機物を含む材料で構成されるＰＣＳ、ＰＢＳ、位相差板、液晶素子がある。
【００１０】
一方、特開平８−２３４２０５号公報には、温度変化の激しい投射型表示装置において、液晶表示素子の照明装置として適した偏光照明装置が開示されている。この公報による偏光照明装置は、偏光光の偏光方向を揃えることにより、その殆どを利用でき、明るさも均一な偏光光を出射するとものに、偏光分離部に無機材料を利用し熱的な安定を図った例が記載されている。しかし、この公報には各光学素子にゴミ・埃等が付着し、性能が劣化するのを防ぐ対策は何ら説明されていない。
【００１１】
【特許文献１】
特開平８−２３４２０５号（第８頁、図１）
【００１２】
【発明が解決しようとする課題】
従来の投射型表示装置において、冷却の必要な部分は、適宣ファンなどを利用して冷却しているが、ファンで冷却している部分にはゴミ・埃等が付着しやすく長期的に使用すると輝度が低下し性能劣化を招く。
【００１３】
また、ファンによる冷却構造では通風路を設けなければならず、通風路中を通過してくるゴミの影響を避けるためゴミの通過を防止するフィルターを装着しているが、細かい塵は、光学素子の光の経路部分に付着し結果的にエンジン出力の低下を引き起こす。
【００１４】
本発明は内部にゴミが入り込むのを防止し、ゴミによって引き起こされる輝度低下等の問題を回避した投射型表示装置を提供することを目的とする。
【００１５】
【課題を解決するための手段】
本発明は、光源からの光を画像信号によって変調しスクリーンに投射するための光学エンジンに関し、該光学エンジンは密閉空間を形成する筐体を備え、
該筐体内には、前記光源からの入射光を三原色光に分離する分光素子と、前記分光素子からの各原色光がそれぞれ入射されるように配置され、かつ画像信号によって変調した反射光を出射する複数の反射型液晶素子と、前記分光素子により分離された光がそれぞれ入射され、該入射光を反射して前記各液晶素子に入射し、該液晶素子からの反射光を透過する複数の反射偏光板と、前記複数の反射偏光板を透過した光を合成して出射する合成プリズムと、が設けられていることを特徴とする。
【００１６】
上記本発明の光学エンジンによれば、主要な光学素子が密閉された筐体内に配置されるため、ゴミや埃の侵入を防ぐことができる。
【００１７】
また、本発明は、光源からの光を画像信号によって変調しスクリーンに投射する光学エンジンに関し、該光学エンジンは密閉空間を形成する筐体を備え、
該筐体内には、ダイクロイックミラー及び反射ミラーを含み、前記前記入射口を介して入射した光をＲ、Ｇ、Ｂ光に分離するための分光素子と、前記分光素子によって分離されたＲ，Ｇ，Ｂ光がそれぞれ入射されるように配置され、かつ画像信号によって変調した反射光を出射する複数の反射型液晶素子と、前記分光素子と前記各液晶素子間の光路上にそれぞれ配置され、前記分光素子により分離されたＲ，Ｇ，Ｂ光ががそれぞれ入射され、該入射光を反射して前記各液晶素子に入射し、該液晶素子からの反射光を透過する複数の反射偏光板と、前記分光素子から前記各液晶素子に至る光路上にそれぞれ配置され、前記各液晶素子の偏光特性を制御するための位相差板及び偏光板と、前記複数の反射偏光板を透過した光を合成して出射する合成プリズムと、が設けられ、
前記筐体内に配置される光学素子は、前記反射型液晶素子以外を無機材料で構成したことを特徴とする。
【００１８】
上記本発明の光学エンジンによれば、主要な光学素子が密閉された筐体内に配置されるとともに液晶素子以外の光学素子を無機材料としたことにより、熱的に安定した光学エンジンを提供することができる。
【００１９】
さらに本発明は、投射型表示装置に関し、光源と、前記光源からの光が入射する入射口及び光の出射口を有する筐体と、前記入射口を塞ぐように前記筐体に取付けられ、前記光源からの光を前記筐体内に導くレンズと、ダイクロイックミラー及び反射ミラーを含み、前記入射口を介して入射した光をＲ、Ｇ、Ｂ光に分離するための分光素子と、前記分光素子によって分離されたＲ，Ｇ，Ｂ光がそれぞれ入射されるように配置され、かつ画像信号によって変調した反射光を出射する複数の反射型液晶素子と、前記分光素子と前記各液晶素子間の光路上にそれぞれ配置され、前記分光素子により分離されたＲ，Ｇ，Ｂ光ががそれぞれ入射され、該入射光を反射して前記各液晶素子に入射し、該液晶素子からの反射光を透過する複数の反射偏光板と、前記複数の反射偏光板を透過した光を合成して出射する合成プリズムと、前記筐体の前記出射口に取付けられ、前記合成プリズムからの光を投射するための投射レンズとを具備し、
前記分光素子、前記反射型液晶素子、前記反射偏光板、及び前記合成プリズムを含む光学素子を前記筐体内に配置したことを特徴とする。
【００２０】
上記本発明の投射型表示装置によれば、主要な光学素子が密閉された筐体内に配置されるため、ゴミや埃の侵入を防ぐことができる。
【００２１】
【発明の実施の形態】
図面を参照しながら本発明の一実施の形態について詳細に説明する。尚、以下に示す実施形態では、背面投射型表示装置の例を説明するが、この発明の装置は前面投射型表示装置においても適用できる。
【００２２】
図１は本発明の一実施形態に係る投射型表示装置の構成を示すブロック図である。信号入力端子１に入力された映像及び制御信号は信号処理回路３及びマイコン２に供給される。マイコン２は入力された制御信号に応じて、信号処理回路３及びランプ用電源４を制御する。
【００２３】
信号処理回路３は信号入力端子１から入力される映像信号に含まれるＲ、Ｇ、Ｂ信号を分離し、画像投射部としての光学エンジン１０に供給する。光学エンジン１０はランプ５、反射型液晶素子７Ｒ、７Ｇ、７Ｂ、投射レンズ６を含む。
【００２４】
液晶素子７Ｒ、７Ｇ、７Ｂは信号処理回路３からの映像信号によりドライブされ、ランプ５からの光を反射することにより、Ｒ（赤）画像、Ｇ（緑）画像、Ｂ（青）画像を生成する。Ｒ（赤）画像、Ｇ（緑）画像、Ｂ（青）画像は合成された後、投射レンズレンズ６により拡大投射され、ミラー８で反射して、スクリーン９上に表示される。
【００２５】
図２は光学エンジン１０の構成を示す図である。光学エンジン１０はランプ５、レンズ２３、光学フィルタ２４、ＰＣＳ（両偏光素子）／マルチレンズ１２、筐体２５、投射レンズ６を含む。筐体２５は、密閉された空間を形成するためのもので、この密閉空間内に後述する光学素子が配置される。また筐体２５には通風路２５ａが設けられている。
【００２６】
ランプ５から出射した光はレンズ２３により集光され、光学フィルタ２４により赤外線及び紫外線等の不要な成分が除去され、ＰＣＳ／マルチレンズ１２に入射する。ＰＣＳ／マルチレンズ１２は入射光の偏光方向を揃える。つまりＰＣＳ／マルチレンズ１２は、例えば入射光に含まれるＰ偏光光をＳ偏光光に変換し、Ｓ偏光光はそのまま透過させる。この結果、ＰＣＳ／マルチレンズ１２からはＳ偏光光のみが出射することになる。ＰＣＳ／マルチレンズ１２を出射した光は補正レンズ２１を通り筐体２５に入射する。
【００２７】
図２から分かるように、筐体２５は、光の入射口が補正レンズ２１によって塞がれ、投射レンズ６によって光の出射口が塞がれ、前記した密閉空間を形成する。
【００２８】
図３は筐体２５内部の拡大図である。以下、図３を参照して本発明の要部の構成について詳述する。
【００２９】
前記補正レンズ２１を通り筐体２５に入射した光（例えばＳ偏光光）は、クロスダイクロイックミラー１３でＲＧ光（赤、緑を主成分とする光）及びＢ光（青主成分とする光）に分光される。分光されたＲＧ光はミラー１４ｂで反射され、ダイクロイックミラー１５に入射する。ダイクロイックミラー１５は、ＲＧ光
の内、Ｇ光を反射し、Ｒ光を透過する。
【００３０】
分離されたＧ光は、反射偏光板１６Ｇで反射されて、位相差板１７Ｇ、偏光板１８Ｇを通過して、反射型液晶素子７Ｇに入射する。液晶素子７ＧはＧ（緑）の映像信号によって駆動され、液晶の画像情報に合わせた偏光選択により透過光と反射光が決まる。液晶素子７ＧはＧ映像信号により駆動されているので、緑成分の映像を表示する。液晶素子７Ｇを反射した光は再度偏光板１８Ｇ及び位相差板１７Ｇを通過し、反射偏光板１６Ｇに入射する。反射偏光板１６Ｇは、ダイクロイックミラー１５からの光を反射して液晶素子７Ｇに入射し、液晶素子７Ｇによりねじれた光を透過する性質を有し、反射偏光板１６Ｇを透過した光は合成プリズム２０に入射する。
【００３１】
同様に、ダイクロイックミラー１５を透過したＲ光は、トリミングフィルタ２６によってオレンジ光成分が除去され、さらに反射偏光板１６Ｒで反射されて、位相差板１７Ｒ、偏光板１８Ｒを通過して、反射型液晶素子７Ｒに入射する。液晶素子７ＲはＲ映像信号により駆動されているので、赤成分の映像を表示する。
【００３２】
液晶素子７Ｒで反射された光は再度偏光板１８Ｒ及び位相差板１７Ｒを通過し、更に反射偏光板１６Ｒを透過して合成プリズム２０に入射する。
【００３３】
同様に、クロスダイクロイックミラー１３により分光されたＢ光はミラー１４ａ及び反射偏光板１６Ｂで反射されて、位相差板１７Ｂ、偏光板１８Ｂを通過して、反射型液晶素子７Ｂに入射する。液晶素子７ＢはＢ映像信号により駆動されているので、青成分の映像を表示する。液晶素子７Ｂで反射された光は再度偏光板１８Ｂ及び位相差板１７Ｂを通過し、更に反射偏光板１６Ｂを透過して合成プリズム２０に入射する。尚、図３において２７Ｇ，２７Ｂ，２７Ｒはそれぞれレンズを示している。
【００３４】
こうして合成プリズム２０に入射したＲ、Ｇ、Ｂ光は合成プリズム２０で合成され、投射レンズ６により拡大され、図１のミラー８で反射しスクリーン９上に投射される。この結果、スクリーン９にはカラー映像が表示される。
【００３５】
このように本実施形態では、光学エンジン１０の主要な光学素子が筐体２５内に配置されているので、主要な光学素子にゴミや埃が付着し、輝度が低下することを防止できる。
【００３６】
また、筐体２５内の光学素子の内、反射偏光板や位相差板及び偏光板は、従来、有機物から成る材料が使用されていたが、近年ではこれらの光学素子として無機質のものが実用化されている。即ち、反射偏光板１６としては従来、有機物と無機物からなるＰＢＳ（偏光ビームスプリッタ）が使用されていたが、近年になって無機反射偏光板が実用化された。また位相差板１７も従来は有機物で構成されていたが、現在は水晶の使用が可能となった。同様に偏光板１８も有機物で構成されていたが、現在は無機偏光板の使用が実用化されている。
【００３７】
従って、筐体２５内に配置される光学素子は、液晶素子７を除き、全て無機物により構成することができる。つまり、本実施形態では補正レンズ２１、クロスダイクロイックミラー１３、ミラー１４、ダイクロイックミラー１５、合成プリズム２０を無機物で構成し、反射偏光板１６、位相差板１７、偏光板１８も無機物から構成している。したがって筐体２５内が、入射した光の熱エネルギーにより高温となっても、無機物から構成される光学素子は高耐熱性があるので冷却する必要はない。あるいは冷却するにしても簡単な放熱装置を追加する程度で温度対策をすることができる。
【００３８】
本発明では、冷却装置として以下の構成が付加されている。即ち、筐体２５内において、特に冷却を必要とするのは有機物を含む反射型液晶素子７である。反射型液晶素子の冷却は背面を利用して放熱することが容易にできる。即ち、各反射型液晶素子７Ｒ、７Ｇ、７Ｂは放熱器２２Ｒ、２２Ｇ、２２Ｂにそれぞれ固定され、放熱器２２Ｒ、２２Ｇ、２２Ｂは筐体２５の外側表面に取付けられている。
【００３９】
これら放熱器２２Ｒ、２２Ｇ、２２Ｂは、光学エンジン１０のサイズあるいはランプ５の発光量に応じて、自然空冷や強制空冷するようにしている。例えば、通風路２５ａ内に設けられた放熱器２２Ｇのように、自然空冷では冷却が不十分でる場合は、通風路２５ａにファンにより風を送り、放熱器２２Ｇを強制空冷してもよい。
【００４０】
尚、位相差板１７及び偏光板１８は図示した位置に限らず、前記ダイクロイックミラー１３，１５で分光された後の、各液晶素子に至る光路上に適宜配置することができる。図４はその一例を示すものである。
【００４１】
図４の実施形態では、ダイクロイックミラー１３，１５で分光された後の、反射偏光板１６Ｒ，１６Ｇ，１６Ｂの前段に偏光板１８Ｒ，１８Ｇ，１８Ｂを配置したものであり、これら偏光板１８Ｒ，１８Ｇ，１８Ｂと位相差板１７Ｒ，１７Ｇ，１７Ｂによって前記各液晶素子の偏光特性を制御するようにしている。
【００４２】
以上のように、本実施形態では光学エンジンを構成する多くの光学素子を筐体内に密閉状態で配置することが可能となる。これによりゴミや埃が光学素子に付着するのを低減し、輝度低下する現象が大幅に改善され、長期的に安定した投射型表示装置を実現できる。更に、光学素子を無機物に変更することで、冷却を必要とする領域が減るので、冷却システムを小規模とすることができ、装置の小型化及びコストダウンを実現できる。
【００４３】
【発明の効果】
光学エンジンを構成する多くの光学素子を筐体内に密閉状態で配置することにより、ゴミや埃の侵入を防ぐことができる。また液晶素子以外を無機物で構成することにより、冷却装置の構成を簡略化することができる。
【図面の簡単な説明】
【図１】本発明の一実施形態に係る投射型表示装置の構成を示すブロック図である。
【図２】光学エンジン１０の構成を示す図である。
【図３】光学エンジン１０の筐体２５内の構成を示す拡大図である。
【図４】光学エンジン１０の他の実施形態を示す拡大図である。
【符号の説明】
１…信号入力端子、２…マイコン、３…信号処理回路、４…ランプ用電源、５…ランプ、６…投射レンズ、７Ｒ、７Ｇ、７Ｂ…反射型液晶素子、８…ミラー、９…スクリーン、１２…ＰＣＳ／マルチレンズ、１３…クロスダイクロイックミラー、１４ａ１４ｂ…ミラー、１５…ダイクロイックミラー、１６Ｒ、１６Ｇ、１６Ｂ…反射偏光板、１７Ｒ、１７Ｇ、１７Ｂ…位相差板、１８Ｒ、１８Ｇ、１８Ｂ…偏光板、２１…補正レンズ、２２Ｒ、２２Ｇ、２２Ｂ…放熱器、２３…レンズ、２４…光学フィルタ、２５…筐体２５ａ…通風路
【図１】
2004145126.tif 000003
【図２】
2004145126.tif 000004
【図３】
2004145126.tif 000005
【図４】
2004145126.tif 000006